(57)【要約】  本発明は、臭気中和構造体に関するものである。この臭気中和構造体は、擬似壁を形成するために、伸張布材（２）の取付けを可能にするように構成された壁レールセクション（５０）と、一つ以上の特有の臭気を吸収することができる吸着材料を含む少なくとも一つのフィルタカートリッジ（９）であって、壁レールセクション内の溝部（５７）内に収容される少なくとも一つのフィルタカートリッジ（９）とを備える。本発明はまた、そのような臭気中和構造体を形成する壁レールセクション（５０）、及び少なくとも一つのそのような壁レールセクションによって形成される擬似壁に関する。【選択図】  図１
2019536568.tif 000002
【特許請求の範囲】
【請求項１】
擬似壁を形成するために、伸張された布材（２）を掛止することができるように構成された壁レールセクション（１、５０、１００）と、
一つ以上の特定の臭気を吸収することができる吸着材料を含む少なくとも一つのフィルタカートリッジ（９）であって、前記壁レールセクションに設けられた溝部（７、５７）内に収容される少なくとも一つのフィルタカートリッジ（９）と
を備える、臭気中和構造体。
【請求項２】
前記吸着材料がゼオライトを含むことを特徴とする、請求項１に記載の臭気中和構造体。
【請求項３】
前記フィルタカートリッジ（９）が芳香物質をさらに含み、前記カートリッジが、前記芳香物質を放出するように構成されていることを特徴とする、請求項１又は２に記載の臭気中和構造体。
【請求項４】
前記溝部（７、５７）が、前記布材が前記壁レールセクションに取り付けられた場合に前記布材の内面の上方に開いている開口を有することを特徴とする、請求項１〜３のいずれか一項に記載の臭気中和構造体。
【請求項５】
前記溝部（７）が、前記壁レールセクションの下部に開いている開口を有することを特徴とする、請求項１〜４のいずれか一項に記載の臭気中和構造体。
【請求項６】
前記溝部（５７）が開口を有し、該開口は、前記伸張された布材（２）が前記壁レールセクションに取り付けられた場合に前記伸張された布材（２）の内面によって画定された空間内に開いていることを特徴とする、請求項１〜５のいずれか一項に記載の臭気中和構造体。
【請求項７】
前記壁レールセクション（５０）が、前記溝部（５７）へのアクセスを可能とするフラップ（５７）を有することを特徴とする、請求項１〜６のいずれか一項に記載の臭気中和構造体。
【請求項８】
前記溝部（７、５７）が、揮発性化合物を通過させるための穴が設けられたカバーによって閉じられていることを特徴とする、請求項１〜７のいずれか一項に記載の臭気中和構造体。
【請求項９】
壁レールセクション（１、５０、１００）であって、
当該壁レールセクションの溝部（７、５７）内に収容された、一つ以上の特定の臭気を吸収することができる吸着材料を含む一つ以上のフィルタカートリッジ（９）と共に、請求項１〜８のいずれか一項に記載の臭気中和構造体を構成する、壁レールセクション。
【請求項１０】
請求項９に記載の少なくとも一つの壁レールセクション（１、５０、１００）によって形成されたレールセクション上に設けられた伸張された布材（２）を備える、擬似壁。
【請求項１１】
前記伸張された布材（２）には微小孔が形成されていることを特徴とする、請求項１０に記載の擬似壁。
【請求項１２】
前記フィルタカートリッジが中に取り付けられる前記溝部（７、５７）は、前記擬似壁が設置される部屋からアクセス可能な溝部であることを特徴とする、請求項１０又は１１に記載の擬似壁。
【発明の詳細な説明】
【技術分野】
【０００１】
[0001]本発明は、閉鎖された（局所的な）環境において「悪い」と認定された臭気の処理に関する。
【０００２】
[0002]本発明は、より詳細には、悪臭として認定された周囲の臭気を中和するための構造体に関する。本出願において、用語「中和」は、臭気の「低減」、「制限」及び「解消」という用語の意を含む。
【背景技術】
【０００３】
[0003]様々な原因で室内に悪臭が発生する可能性がある。住宅地では、これは、タバコ、食物、バクテリア、かび等であり得る。部屋の中の悪臭は、通常、その悪臭自体の原因を取り除くことによって、又はマスキング剤を拡散させることでその悪臭をマスキングすることによって、又は悪臭を吸収／吸着するように適合された物質でその悪臭を低減することによって、その原因に従って処理される。
【０００４】
[0004]臭気マスキング又は吸収／吸着のために、芳香物質拡散器又は臭気吸収／吸着特性を有する組成物を含む容器を使用するのが一般的である。拡散器及び吸収／吸着容器の問題点は、それらの支持である。後者は、古くからテーブル、家具又は同等品に配置されてきた。部屋の目的箇所によっては、そのような支持体が常に存在しているとは限らない。さらに、そのような製品の視覚的存在は、場合によっては不快らさせることがあり、又は不適切となる場合もあり得る。
【発明の概要】
【発明が解決しようとする課題】
【０００５】
[0005]本発明は、部屋の視覚的な面を妨げることなく部屋内に置かれる臭気中和構造体を提案することによってこれらの問題を解決することを目的とし、これは、部屋内のいかなる配置構成又は家具からも独立的である。
【課題を解決するための手段】
【０００６】
[0006]前記目的のために、また第１の態様によれば、本発明は臭気中和構造体を提案するものであって、この臭気中和構造体は、擬似壁を形成するために、伸張された布材（以下「伸張布材」ともいう）を掛止することができるように構成された壁レールセクションと、一つ以上の特定の揮発性のにおい（臭気）を吸収することができる吸着材料を含む少なくとも一つのフィルタカートリッジであって、壁レールセクション内の溝部内に収容される少なくとも１つのフィルタカートリッジとを備えるものである。
【０００７】
[0007]上述したように壁レールセクションに一つ以上のフィルタカートリッジを取り付けることにより、技術的又は装飾的要素を隠すという主たる機能に加えて、部屋全体にわたって臭気を中和する機能を有する擬似シェル（擬似壁、擬似天井、装飾壁）を設置することが可能である。したがって、部屋の大きさや部屋の内部配置がどのようなものであろうとも、部屋の外観を変えることなく臭気の中和を確実に行うことができ、また、フィルタカートリッジは部屋からは見えない。
【０００８】
[0008]吸着材料はゼオライトを含むことが好適である。
【０００９】
[0009]また、フィルタカートリッジは芳香物質も含み、前記カートリッジは前記芳香物質を放出するように構成されることが好ましい。
【００１０】
[0010]好適には、溝部は、布材が壁レールセクションに取り付けられた場合に布材の内面の上方に開いている開口を有する。布材の内面とは、布材が部屋の壁に取り付けられた壁レールセクションから掛止されたときの、部屋の内側とは反対側の布材の面を意味する。これに対して、布材の外面は部屋の内側に面する面をいう。
【００１１】
[0011]溝部は、壁レールセクションの下部に開いている開口を有することが好適である。この構成は、フィルタカートリッジを収容する溝部へのアクセスを容易にし、したがってカートリッジの設置、取外し又は交換を容易にするという利点を有する。
【００１２】
[0012]また、溝部は、布材が壁レールセクションに取り付けられたときに前記布材の内面によって画定される空間に開いている開口を有することが好ましい。
【００１３】
[0013]好適には、壁レールセクションは、溝部へのアクセスを可能とするフラップを有する。
【００１４】
[0014]溝部は、揮発性化合物を通過させるための穴を有するカバーによって閉じられるとよい。
【００１５】
[0015]本発明はまた、上述したような臭気中和構造体を形成する壁レールセクションに関する。
【００１６】
[0016]本発明はまた、上述したような臭気中和構造体を構成する少なくとも一つの壁レールセクションによって形成されたレール上に設けられた伸張布材を備える擬似壁に関する。
【００１７】
[0017]特定の構成によれば、布材は微小孔が形成される。これは、布材の内面によって画定された空間内でも臭気の中和及び／又は芳香物質の通過を可能にするという利点を有する。
【００１８】
[0018]好適には、フィルタカートリッジが中に取り付けられる溝部は、擬似壁が設置される部屋からアクセス可能な溝部である。これにより、フィルタカートリッジは、布材を取り外す必要なく室内からアクセス可能になる。
【００１９】
[0019]本発明の他の目的及び利点は、添付の図面を参照して以下の説明で明らかとなろう。
【図面の簡単な説明】
【００２０】
【図１】本発明の第１の例示的実施形態による臭気中和構造体を形成する壁レールセクションの概略断面図であり、伸張布材が前記壁レールセクションから掛止された状態が示されている。
【図２】図１の壁レールセクションの代替的な実施形態を示す図である。
【図３】図２の壁レールセクションの代替的な実施形態を示す図である。
【図４】本発明の第２の例示的実施形態による臭気中和構造体を形成する壁レールセクションの概略断面図であり、伸張布材が前記壁レールセクションから掛止された状態が示されている。
【図５ａ】図４の壁レールセクションの代替的な実施形態を示す図である。
【図５ｂ】図４の壁レールセクションの代替的な実施形態を示す図である。
【発明を実施するための形態】
【００２１】
[0020]より明確にするために、様々な実施形態における同一又は類似の要素には、すべての図において同一の参照符号を付している。
【００２２】
[0021]図示の壁レールセクションは、壁板に取り付けられて、伸張布材と共に擬似天井又はフレームセクションを形成するように意図されている壁レールセクションとして使用することができる。図は、壁板上で取付状態にある壁レールセクションを示す。
【００２３】
[0022]図１は、伸張布材が掛止されている壁レールセクション１の第１の例示的実施形態を示す。図示の例では、壁レールセクション１は、壁レールセクション１を壁（図示せず）に取り付けるための第１の垂直ウィング部３と、布材２を掛止することを可能にするように配設された第１の溝部６と、第１の溝部６と第１のウィング部３との間に配設された第２の溝部７とを有する。
【００２４】
[0023]第１の溝部６及び第２の溝部７は、それぞれ下向きの開口を有する。両者は共通壁部４によって横方向に区切られている。図示実施形態では、共通壁部４は、第１のウィング部３と平行に延びている。壁レールセクション１は、共通壁部４と平行な第２のウィング部５を有する。したがって、第１の溝部６は、第２のウィング部５及び共通壁部４の一部によって横方向に区切られる。図示実施形態では、第１のウィング部３、共通壁部４、及び第２のウィング部５は、互いに平行である。
【００２５】
[0024]壁レールセクションは、部屋からの臭気を濾過するための一つ以上のフィルタカートリッジを装備することができる。これを行うために、フィルタカートリッジは、ゼオライト等の吸着材料を含む。勿論、吸着材料は、部屋から取り除かれるべき臭気のタイプに従って選択されることは明らかである。吸着材料に加えて、フィルタカートリッジは、芳香物質を含むこともできる。前記カートリッジは、そのため、芳香物質の放出を確実にするように配置される。したがって、悪臭の吸収又は吸着に加えて、芳香性の揮発性化合物を室内に拡散することができ、前記カートリッジは前記物質を放出するように配置構成される。
【００２６】
[0025]図示実施形態では、フィルタカートリッジ９は、第２の溝部７内に収容されている。所与の例では、これは、共通壁部４に取り付けられる。芳香物質も拡散させるカートリッジの場合、芳香物質は、壁レールセクション１の溝部から部屋の内側に向かって直接拡散される。
【００２７】
[0026]カートリッジ９の見栄えの悪い外観を避けるために、共通壁部４の下端には、第２の溝部７の内側に向かって延びる肩部１１が設けられる。肩部は、擬似天井の下の部屋にいる人にカートリッジ９を隠すのに十分な長さであるようなものとされる。
【００２８】
[0027]図示実施形態では、肩部１１は、共通壁部４の下端に設けられる。これはまた、第１の溝部６の内側に向かって延びる延長部１２を有し、前記延長部１２は、図示するように銛状部材（ｈａｒｐｏｎ）２０又は布材２の縁部を付ける任意の他の同等の手段を取り付けるための肩部を形成する。肩部１１及び延長部１２は、共通壁部４に対して実質的に垂直に延びる。
【００２９】
[0028]図２は、本発明によるレールセクション１の代替的な実施形態を示す。この代替的な実施形態では、符号１００で示す壁レールセクションは、特に共通壁部４及び第２のウィング部５の向きが、前述のものとは異なる。
【００３０】
[0029]特に、共通壁部４及び第２のウィング部５は、第１のウィング部３の下部３Ａに向かって収束するように配置されている。これは、フィルタカートリッジ９を隠すことと、レールセクション１００上の布材２の掛止要素（銛状部材２０又は同等の手段）を隠すこととを向上させる利点を有する。
【００３１】
[0030]第２のウィング部５は、その自由端（布材支持タブを支承する端部）が第１のウィング部の下部３Ａの自由端３０と同じ高さに配置されるような長さを有することが有効である。共通壁部４は、第１のウィング部３の下部３Ａの下端３０よりも手前で終端する端部を有するように寸法決めされる。
【００３２】
[0031]共通壁部４は、延長部１２及び第２のウィング部５の自由端が実質的に垂直に整列するような長さを有することも有効である。この構成は、擬似天井の下、特にレールの真下に置かれた人には銛状部材が見えないようにするという利点を有する。
【００３３】
[0032]さらに、この代替的な実施形態では、壁レールセクションを他の壁レールセクションに連結するためのレール部１５が、第１のウィング部３の、ウェブ８よりも上方にある部分によって支持されている。
【００３４】
[0033]図４は、臭気中和構造体を構成する壁レールセクション５０の別の例示的実施形態を示す。この例示的な実施形態では、壁レールセクション５０は、互いに平行な第１のウィング部５１及び第２のウィング部５２を含み、その一方（ここではウィング部５２）は、壁（図示せず）に取り付けられるように意図されている。壁レールセクション５０はまた、ウィング部５２から直角にウィング部５１に向かって延びるアーム部５３を有する。アーム部５３の自由端には、図３に示すように伸張布材２を掛止することを可能にするように配置された肩部５４が設けられている。ウィング部５１、５２は、連結壁部５５（下壁部とも呼ばれる）によって下部で互いに連結される。ウィング５１、５２は、下壁部５５と共に、伸張布材２（ベルム）が壁レールセクション５０に掛止されたときにその布材の上方の空間内に開口する溝部５７を画定する。フィルタカートリッジ９は、溝部５７の内側に配置される。図示実施形態では、このフィルタカートリッジは、溝部の底部を形成する下壁部５５の上に置かれる。
【００３５】
[0034]フィルタカートリッジがフィルタと拡散器の機能を兼ね備えているとき、部屋からベルムへの揮発性フューム／化合物の通過、及び必要な場合には、芳香性の揮発性物質の部屋内の拡散を可能にするために、使用される布材２は、微小孔が形成されていることが好適である。
【００３６】
[0035]フィルタカートリッジ９の交換を容易にするため、特にカートリッジを取外し又は交換をするために布材２を取り外すことを回避するために、壁レールセクション５０は、アクセスフラップ５６を含むことが好適である。図示実施形態では、アクセスフラップ５６は、下壁部５５に設けられている。これにより、溝部５７の内側への容易なアクセスが可能になり、布材２を取り外す必要なしにフィルタカートリッジ９を挿入、取外し、又は交換をすることが可能になる。室内に存在する、中和されるべき臭気の通過及びフィルタカートリッジ９が芳香性化合物を含む場合にそのような化合物の拡散を向上させるために、下壁部５５及び／又はアクセスフラップ５６にオリフィスを設けることができる。
【００３７】
[0036]図５ａ及び図５ｂは、図４の代替的な実施形態を示し、ここで図５ａは、開位置にある溝部５７にあるアクセスフラップ５６を示し、図５ｂは、閉位置にあるアクセスフラップを示す。この実施形態では、フィルタカートリッジ９は、アクセスフラップ５６の、その内面５６Ａ上に取り付けられる。フラップの内面とは、アクセスフラップ５６が閉位置にあるときに溝部の内側を向く面を意味する。フィルタカートリッジ９は、接着剤又は当業者に知られている他の任意の手段によってフラップに取り付けられ得る。フラップの内面５６Ａには、ラグのような保持手段が設けられるとよく、この保持手段は、カートリッジがクリップ作用により又はクリップ作用を受けて配置され押し付けられる位置を画定する。
【００３８】
[0037]図４、図５ａ及び図５ｂに示すカートリッジを備えた壁レールセクションを配置することの利点は、これにより、伸張布材（擬似天井の場合はベルム）の内面によって画定される空間内にも存在する臭気の中和を可能にすることである。
【００３９】
[0038]好適には、この壁レールセクションは、空気がプレナム（布材２の背後の空間）と部屋との間を通過することを可能にする通過開口１６を有してもよい。図３は、例えば、そのような開口を備えた図２の断面を示す。そのような開口を本発明による任意のタイプの掛止用セクション上に設けることができることは、当然ながら明らかである。図示の例では、空気通過開口１６は、ウェブ８によってもたらされている。しかし、これらの開口の場所は、このレールセクションの形状によってだけでなく、フィルタカートリッジの位置によっても定められることは理解されよう。フィルタカートリッジを収容する溝部を通ってプレナムと部屋との間を循環する空気の通過を可能にするように通過開口が配置されるようにすることが、実際に好適である。図示実施形態では、通過開口１６は、円形状の窓を画定している。これは、当然ながら一つの例示的実施形態であり、開口は、異なる形状及び／又は配置を有することができる。さらに、開口の数は様々である。
【００４０】
[0039]上記で説明した例では、掛止用セクションは単一のカートリッジを備えるものとしている。しかし、掛止用セクションは複数のカートリッジを備えてもよく、これらのカートリッジは、同じ壁部又は異なる壁部（図３）上で支持され得る。
【００４１】
[0040]本発明を例によって上で説明してきた。当業者が本発明の範囲から逸脱することなく本発明の様々な実施形態を実行することができることは理解されよう。特に、本発明は、上記の図に示した配置構成にも壁レールセクションにも限定されない。加えて、単一の溝部又は別々の溝部に配置されたいくつかのフィルタカートリッジを備える壁レールセクションが提供され得る。
【図１】
2019536568.tif 000003
【図２】
2019536568.tif 000004
【図３】
2019536568.tif 000005
【図４】
2019536568.tif 000006
【図５ａ】
2019536568.tif 000007
【図５ｂ】
2019536568.tif 000008
【国際調査報告】
2019536568.tif 000009
2019536568.tif 000010
2019536568.tif 000011
2019536568.tif 000012